(57)【要約】      （修正有）【課題】土の取り換えに便利な分解式鉢の提供。【解決手段】土の取り換えに便利な分解式鉢は、主盆体１０と下盆体２０を組み合わせてなり、主盆体底部１３は径が若干小さい挿接環１１を有し、挿接環外周に外螺牙１２を有し、盆底に複数の浸水孔１４を有する。下盆体の開口近くの内周縁は内螺牙２１を有し、盆底上に複数の排水孔２３を有し、盆底底面２２は弧段脚２４を有し、二弧段脚間は径方向に排水道を有する。主盆体は、土壌を盛り、及び、植物、花を植え、挿接環の外螺牙と土壌を盛った下盆体開口端の内螺牙を螺接組み合わせして、植物、花の根部が主盆体の浸水孔から下に下盆体の土壌中で成長し、土の交換時、下盆体を旋転させて、主盆体から脱離させるだけで、下盆体内の土壌を速やかに交換し、植物のカットや、根をほぐしたりが容易である。【選択図】図１
0003138217.tif 000002
【実用新案登録請求の範囲】
【請求項１】
土の取り換えに便利な分解式鉢であって、主盆体と下盆体を組み合わせてなり、その特徴は、
前記主盆体底部は径が若干小さい挿接環を有し、前記挿接環外周に外螺牙を有し、前記盆底は複数の浸水孔を有し、
前記下盆体の開口近くの内周縁は内螺牙を有し、前記盆底上に複数の排水孔を有し、前記盆底底面は弧段脚を有し、前記二弧段脚間は径方向に排水道を有し、
上述の構造により、前記主盆体は、土壌を盛り、及び、植物、花を植え、前記挿接環の外螺牙と土壌を盛った前記下盆体開口端の内螺牙を螺接組み合わせして、植物、花の根部が前記主盆体の浸水孔から下に前記下盆体の土壌中で成長し、土の交換時、前記下盆体を旋転させて、前記主盆体から脱離させるだけで、前記下盆体内の土壌を速やかに交換し、植物のカットや、根をほぐしたりが容易であることを特徴とする土の取り換えに便利な分解式鉢。
【考案の詳細な説明】
【技術分野】
【０００１】
本考案は土の取り換えに便利な分解式鉢に関するものであって、特に、下盆体が旋転して主盆体から分離し、下盆体内の土の交換と植物のカット、根のほぐし操作が便利な土の取り換えに便利な分解式鉢に関する。
【背景技術】
【０００２】
現有の鉢は一体式であり、フレキシブルに可動する設計ではない。よって、移植や土の交換時、まず、鉢の周囲を叩いて、土壌と花の間を離し、植物、花を取り出す。このような移植、土の交換の方法は面倒で、植物を傷つける恐れがある。鉢は長期に渡り、日に照らされ、水で濡れた状態下で老化現象が生じ、よって、叩く時に、力が強すぎて鉢が割れて飛び散り、体や目が怪我する可能性がある。移植や土の交換は非常に不便であるが、盆栽は定時に移植や土の交換をしなければ、発育や成長に影響し、枯れる恐れがある。
【０００３】
一般の盆栽植物、花は、好ましくは、毎年一回、土の交換をすると、植物、花を長く、美しく活かせることができる。
【考案の開示】
【考案が解決しようとする課題】
【０００４】
本考案の目的は、土の取り換えに便利な分解式鉢を提供することにある。  
【課題を解決するための手段】
【０００５】
本考案の土の取り換えに便利な分解式鉢は、主盆体と下盆体を相互に連結してなり、主盆体は土壌を盛ったり、植物を植えたりし、挿接環の外螺牙により土壌を有する盆体の開口端の内螺牙と螺接組み合わせして、植物、花の根部が主盆体の浸水孔から下向けの下盆体の土壌中に成長させる。
【０００６】
本考案の土の取り換えに便利な分解式鉢は、土の交換時、下盆体を旋転させて主盆体から分離させるだけで、下盆内の土壌が交換でき、植物のカットや、根をほぐすのが便利である。
【考案の効果】
【０００７】
本考案の土の取り換えに便利な分解式鉢により、土の交換時、下盆体を旋転させて主盆体から分離させるだけで、下盆内の土壌が交換である。  
【考案を実施するための最良の形態】
【０００８】
まず、図１〜図３は本考案の土の取り換えに便利な分解式鉢を示す図である。
【０００９】
主盆体１０と下盆体２０を組み合わせてなり、主盆体１０底部は径が若干小さい挿接環１１を有し、挿接環１１外周に外螺牙１２を有し、盆底１３上に複数の浸水孔１４を有する。
【００１０】
下盆体２０の開口近くの内周縁は、内螺牙２１を有し、盆底２２上に複数の排水孔２３を有し、盆底２２底面は、弧段脚２４を有し、弧段脚２４と弧段脚２４の間は径方向に排水道２５を有する。
【００１１】
図２〜図４で示されるように、本考案の主盆体１０は、土壌１５を盛り、及び、植物、花３０を植え、挿接環１１の外螺牙１２と土壌２６を盛った下盆体２０開口端の内螺牙２１を螺接組み合わせして、植物、花３０の根部３１が主盆体１０の浸水孔１４から下に下盆体２０の土壌２６中で成長する。土の交換時、下盆体２０を旋転させて、主盆体１０から脱離させるだけで、下盆体２０内の土壌２６を速やかに交換し、植物のカットや、根をほぐしたりが容易である。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の立体分解図である。
【図２】本考案の組み合わせ断面図である。
【図３】図２の局部拡大図である。
【図４】本考案の使用実施例の断面図である。
【符号の説明】
【００１４】
１０  主盆体
１１  挿接環
１２  外螺牙
１３  盆底
１４  浸水孔        
１５  土壌
２０  下盆体
２１  内螺牙
２２  盆底
２３  排水孔
２４  弧段脚
２５  排水道
２６  土壌
３０  植物、花
３１  根部        
【図１】
0003138217.tif 000003
【図２】
0003138217.tif 000004
【図３】
0003138217.tif 000005
【図４】
0003138217.tif 000006
【手続補正書】
【提出日】平成19年10月17日(2007.10.17)
【手続補正１】
【補正対象書類名】実用新案登録請求の範囲
【補正対象項目名】全文
【補正方法】変更
【補正の内容】
【実用新案登録請求の範囲】
【請求項１】
土の取り換えに便利な分解式鉢であって、主鉢と下鉢を組み合わせてなり、その特徴は、
前記主鉢底部は径が若干小さい挿入環を有し、前記挿入環外周に外棒状物を有し、前記盆底は複数の浸水孔を有し、
前記下鉢の開口近くの内周縁は内棒状物を有し、前記盆底上に複数の排水孔を有し、前記盆底面は脚を有し、前記二脚間は径方向に排水道を有し、
上述の構造により、前記主鉢は、土壌を盛り、及び、植物、花を植え、前記挿入環の外棒状物と土壌を盛った前記下鉢開口端の内棒状物を螺接組み合わせして、植物、花の根部が前記主鉢の浸水孔から下に前記下鉢の土壌中で成長し、土の交換時、前記下鉢を旋転させて、前記主鉢から脱離させるだけで、前記下鉢内の土壌を速やかに交換し、植物のカットや、根をほぐしたりが容易であることを特徴とする土の取り換えに便利な分解式鉢。
【手続補正２】
【補正対象書類名】明細書
【補正対象項目名】０００１
【補正方法】変更
【補正の内容】
【０００１】
本考案は土の取り換えに便利な分解式鉢に関するものであって、特に、下鉢が旋転して主鉢から分離し、下鉢内の土の交換と植物のカット、根のほぐし操作、土の取り換えに便利な分解式鉢に関する。
【手続補正３】
【補正対象書類名】明細書
【補正対象項目名】０００５
【補正方法】変更
【補正の内容】
【０００５】
本考案の土の取り換えに便利な分解式鉢は、主鉢と下鉢を相互に連結してなり、主鉢は土壌を盛ったり、植物を植えたりし、挿入環の外棒状物により土壌を有する鉢の開口端の内棒状物と螺接組み合わせして、植物、花の根部が主鉢の浸水孔から下向けの下鉢の土壌中に成長させる。
【手続補正４】
【補正対象書類名】明細書
【補正対象項目名】０００６
【補正方法】変更
【補正の内容】
【０００６】
本考案の土の取り換えに便利な分解式鉢は、土の交換時、下鉢を旋転させて主鉢から分離させるだけで、下盆内の土壌が交換でき、植物のカットや、根をほぐすのが便利である。
【手続補正５】
【補正対象書類名】明細書
【補正対象項目名】０００７
【補正方法】変更
【補正の内容】
【０００７】
本考案の土の取り換えに便利な分解式鉢により、土の交換時、下鉢を旋転させて主鉢から分離させるだけで、下盆内の土壌が交換である。  
【手続補正６】
【補正対象書類名】明細書
【補正対象項目名】０００９
【補正方法】変更
【補正の内容】
【０００９】
主鉢１０と下鉢２０を組み合わせてなり、主鉢１０底部は径が若干小さい挿入環１１を有し、挿入環１１外周に外棒状物１２を有し、盆底１３上に複数の浸水孔１４を有する。
【手続補正７】
【補正対象書類名】明細書
【補正対象項目名】００１０
【補正方法】変更
【補正の内容】
【００１０】
下鉢２０の開口近くの内周縁は、内棒状物２１を有し、盆底２２上に複数の排水孔２３を有し、盆底２２底面は、脚２４を有し、脚２４と脚２４の間は径方向に排水道２５を有する。
【手続補正８】
【補正対象書類名】明細書
【補正対象項目名】００１１
【補正方法】変更
【補正の内容】
【００１１】
図２〜図４で示されるように、本考案の主鉢１０は、土壌１５を盛り、及び、植物、花３０を植え、挿入環１１の外棒状物１２と土壌２６を盛った下鉢２０開口端の内棒状物２１を螺接組み合わせして、植物、花３０の根部３１が主鉢１０の浸水孔１４から下に下鉢２０の土壌２６中で成長する。土の交換時、下鉢２０を旋転させて、主鉢１０から脱離させるだけで、下鉢２０内の土壌２６を速やかに交換し、植物のカットや、根をほぐしたりが容易である。
【手続補正９】
【補正対象書類名】明細書
【補正対象項目名】００１４
【補正方法】変更
【補正の内容】
【００１４】
１０  主鉢
１１  挿入環
１２  外棒状物
１３  盆底
１４  浸水孔        
１５  土壌
２０  下鉢
２１  内棒状物
２２  盆底
２３  排水孔
２４  脚
２５  排水道
２６  土壌
３０  植物、花
３１  根部